(57)【要約】【課題】リュックサックを背負った際の肩への負担を軽減することが可能で、かつ、製造が容易なリュックサックを提供する。【解決手段】リュックサックは、リュックサック本体１０と、リュックサック本体の背面１１における上部１２と第１の下部１３ａとにそれぞれ取り付けられた左用肩ベルト４１と、リュックサック本体の背面における上部１２と第２の下部１３ｂとにそれぞれ取り付けられた右用肩ベルト４２、リュックサック本体の背面の上部における左用肩ベルトと右用肩ベルトとの間を跨いで左用肩ベルト及び右用肩ベルトに固定された弾性体６０とを具備する。【選択図】図１
0003202124.tif 000002
【実用新案登録請求の範囲】
【請求項１】
リュックサック本体と、
前記リュックサック本体の背面における上部と第１の下部とにそれぞれ取り付けられた左用肩ベルトと、
前記リュックサック本体の前記背面における前記上部と第２の下部とにそれぞれ取り付けられた右用肩ベルトと、
前記リュックサック本体の前記背面の前記上部における前記左用肩ベルトと前記右用肩ベルトとの間を跨いで前記左用肩ベルト及び前記右用肩ベルトに固定された弾性体と
を具備することを特徴とするリュックサック。
【請求項２】
前記弾性体は、前記左用肩ベルト及び前記右用肩ベルトにおける前記リュックサック本体の前記背面と対向する背面側、又は、前記背面側と反対の表面側に取り付けられていることを特徴とする請求項１に記載のリュックサック。
【請求項３】
前記弾性体は、前記リュックサック本体の前記背面の前記上部における前記左用肩ベルトと前記右用肩ベルトとの境界部分に隙間を有して設けられていることを特徴とする請求項１に記載のリュックサック。
【請求項４】
前記弾性体は、複数の帯状の弾性体で構成されていることを特徴とする請求項１に記載のリュックサック。
【請求項５】
前記リュックサック本体の前記背面の前記上部に固定された結合部と、
前記結合部に取り付けられたリング状の結合具と
をさらに具備し、
前記左用肩ベルト及び前記右用肩ベルトは、連続した１つのベルトで構成され、かつ、前記連結具に通されていることを特徴とする請求項１乃至４のいずれか１項に記載のリュックサック。
【考案の詳細な説明】
【技術分野】
【０００１】
本考案は、左右の肩ベルトを跨ぐ弾性体を有するリュックサックに関する。
【背景技術】
【０００２】
一般的に、リュックサックは、荷物を収容するリュックサック本体に左右の肩ベルトが取り付けられている。この左右の肩ベルトは、リュックサック本体の上部から下部に掛け渡されてなるものである。
このようなリュックサックに荷物を入れて背負った場合には、リュックサック本体の上部が背中から離間してしまい、リュックサック本体の上部と背中との間に隙間が形成されることがある。その結果、リュックサックを背負って歩行する場合には、使用者が背負って歩くときの身体の左右方向への揺れにより、リュックサック本体も左右に動いてずれる。このため、リュックサック本体の荷重が使用者の右肩又は左肩にその都度かかることとなり、使用者は歩行の際に上記荷重を受けることから、身体に負担がかかり、不快感を覚える、という問題があった。
【０００３】
この問題に対して、肩ベルトのリュックサック本体への取り付け部位の間において、リュックサック本体に左右の肩ベルトが互いに交差するように取付けられたリュックサックが提案されている（例えば、特許文献１参照）。
このリュックサックを背負うと、左右の肩ベルトがリュックサック本体の上端部と背中の上端部（又は肩の後）との間で交差し、交差点が形成される状態となる。このように左右の肩ベルトが交差すると、右肩に掛けた肩ベルトは上端部が左側へ引っ張られ、逆に、左肩に掛けられた肩ベルトは上端部が右側へ引っ張られることになる。このため、肩ベルトによりリュックサック本体を支持する力は互いに使用者の身体の正中線方向へ交差して作用すると共に、その交差点において合力を形成し、リュックサック本体を上方であって使用者の身体へ密着させる方向へ作用する。その結果、リュックサック本体は使用者の背中に密着するようになる。
しかしながら、このような肩ベルトを交差させたリュックサックは、リュックサックを背負った際の肩への負担を軽減することは可能であるが、左右の肩ベルトをリュックサック本体へ取り付ける構造を変形させる必要があり、製造が複雑であった。
【先行技術文献】
【特許文献】
【０００４】
【特許文献１】特開２００５−２７９０２５号
【考案の開示】
【考案が解決しようとする課題】
【０００５】
本考案は、リュックサックを背負った際の肩への負担を軽減することが可能で、かつ、製造が容易なリュックサックを提供する。
【課題を解決するための手段】
【０００６】
本考案の一実施形態に係るリュックサックは、リュックサック本体と、前記リュックサック本体の背面における上部と第１の下部とにそれぞれ取り付けられた左用肩ベルトと、前記リュックサック本体の前記背面における前記上部と第２の下部とにそれぞれ取り付けられた右用肩ベルトと、前記リュックサック本体の前記背面の前記上部における前記左用肩ベルトと前記右用肩ベルトとの間を跨いで前記左用肩ベルト及び前記右用肩ベルトに固定された弾性体とを具備する。
【０００７】
前記弾性体は、前記左用肩ベルト及び前記右用肩ベルトにおける前記リュックサック本体の前記背面と対向する背面側、又は、前記背面側と反対の表面側に取り付けられてもよい。
前記弾性体は、前記リュックサック本体の前記背面の前記上部における前記左用肩ベルトと前記右用肩ベルトとの境界部分に隙間を有して設けられてもよい。
前記弾性体は、複数の帯状の弾性体で構成されてもよい。
前記リュックサックは、前記リュックサック本体の前記背面の前記上部に固定された結合部と、前記結合部に取り付けられたリング状の結合具とをさらに具備し、前記左用肩ベルト及び前記右用肩ベルトは、連続した１つのベルトで構成され、かつ、前記連結具に通されてもよい。
【考案の効果】
【０００８】
本考案は、リュックサックを背負った際の肩への負担を軽減することが可能で、かつ、製造が容易なリュックサックを提供することができる。
【図面の簡単な説明】
【０００９】
【図１】本考案の一実施形態に係るリュックサックを示す斜視図。
【図２】本考案の一実施形態に係るリュックサックを示す一部拡大図。
【図３】本考案の一実施形態に係るリュックサックの肩ベルトの裏側を示す図。
【図４】本考案の一実施形態に係るリュックサックの変形例を示す図。
【図５】本考案の一実施形態に係るリュックサックの変形例を示す図。
【図６】本考案の一実施形態に係るリュックサックの変形例を示す図。
【図７】本考案の一実施形態に係るリュックサックの変形例を示す図。
【図８】本考案の一実施形態に係るリュックサックの変形例を示す図。
【考案を実施するための形態】
【００１０】
以下、実施形態について、図面を参照して説明する。尚、以下の説明において、同一の機能及び構成を有する要素については、共通する参照符号を付す。
【００１１】
［１］実施形態
図１は、本考案の一実施形態に係るリュックサックの斜視図を示す。図２は、図１のリュックサックの一部拡大図を示す。図３は、図１のリュックサックの肩ベルトの裏側を示す。以下、図１乃至図３を参照して、リュックサックの概略的な構造について説明する。
【００１２】
図１乃至図３に示すように、本実施形態に係るリュックサック１は、リュックサック本体１０、結合部２１、２２及び２３、結合具３１、３２及び３３、左用肩ベルト４１、右用肩ベルト４２、長さ調節具５１及び５２、弾性体６０を備えている。尚、リュックサック１は、図示する構造に限定されず、適宜追加、変更等が可能である。
【００１３】
リュックサック本体１０は、例えばスライドファスナー（図示せず）によって開閉可能に構成され、荷物の収容が可能である。リュックサック本体１０は、例えば、布製又はナイロン製である。
【００１４】
結合部２１、２２及び２３は、一端がリュックサック本体１０の背面１１に固定され、他端は環状になっている。結合部２１は、リュックサック本体１０の背面１１の上部１２に位置し、結合部２２及び２３は、リュックサック本体１０の背面１１の下部１３ａ及び１３ｂにそれぞれ位置している。リュックサック本体１０の背面１１の下部１３ａ及び１３ｂは、互いに離れている。結合部２１、２２及び２３は、例えば、布製又はナイロン製である。
【００１５】
結合具３１、３２及び３３は、結合部２１、２２及び２３の環状部分にそれぞれ通されたリング状になっている。結合具３１は、２つのリングで構成され、結合部２１と肩ベルト４１及び４２とが異なるリングに通されている。結合具３２は、１つのリングで構成され、結合部２２と肩ベルト４１とが同じリングに通されている。結合具３３は、１つのリングで構成され、結合部２３と肩ベルト４２とが同じリングに通されている。但し、結合具３１、３２及び３３の構造は、これに限定するものではなく、例えば、結合具３１は、結合具３２及び３３のように、１つのリングで構成されてもよい。結合具３１、３２及び３３は、例えば、金属製又はプラスチック製である。
【００１６】
肩ベルト４１及び４２は、結合具３１、３２及び３３にそれぞれ通され、リュックサック本体１０の背面１１における上部１２から下部１３ａ及び１３ｂに掛け渡されている。つまり、左用肩ベルト４１は、結合部２１及び２２と結合具３１及び３２を介して、リュックサック本体１０の背面１１における上部１２と下部１３ａとにそれぞれ取り付けられている。また、右用肩ベルト４２は、結合部２１及び２３と結合具３１及び３３を介して、リュックサック本体１０の背面１１における上部１２と下部１３ｂとにそれぞれ取り付けられている。左用肩ベルト４１は、リュックサック１を背負った際に、左腕を通して、左肩に掛けられる。右用肩ベルト４２は、リュックサック１を背負った際に、右腕を通して、右肩に掛けられる。本実施形態では、左用肩ベルト４１及び右用肩ベルト４２は、連続した１つのベルトで構成されているが、左右に分けられた複数のベルトで構成されてもよい。肩ベルト４１及び４２は、例えば、布製又はナイロン製である。肩ベルト４１及び４２は、クッション性を有していてもよい。
【００１７】
長さ調節具５１及び５２は、肩ベルト４１及び４２の長さを調整するために用いられる。長さ調節具５１及び５２は、例えば、金属製又はプラスチック製である。
【００１８】
弾性体６０は、リュックサック本体１０の背面１１の上部１２において、左用肩ベルト４１と右用肩ベルト４２との間を跨いで左用肩ベルト４１及び右用肩ベルト４２に固定されている。弾性体６０は、リュックサック１を背負った際に、肩ベルト４１及び４２の動きに応じて横方向に伸縮する（図２（ａ）及び（ｂ）参照）。
【００１９】
弾性体６０は、肩ベルト４１及び４２におけるリュックサック本体１０の背面１１と対向する背面側に縫い付けられている（図３参照）。弾性体６０は、結合具３１を通ってＶ字状になった肩ベルト４１及び４２のＶ字の根元の隙間を埋めるように取り付けられている。本実施形態では、弾性体６０は、台形形状であるが、左用肩ベルト４１と右用肩ベルト４２との間を跨いでいれば、この形状に限定されず、例えば、弾性体６０の形状は、三角形や四角形でもよい。弾性体６０は、左用肩ベルト４１と右用肩ベルト４２との間を跨いで肩ベルト４１及び４２の外側の端まで伸び、弾性体６０と肩ベルト４１及び４２の重なり面積を大きくし、弾性体６０と肩ベルト４１及び４２とがより頑丈に固定されている。但し、弾性体６０は、左用肩ベルト４１と右用肩ベルト４２との間を跨いでいれば、肩ベルト４１及び４２の内側の端で固定し、弾性体６０と肩ベルト４１及び４２の重なり面積を小さくしてもよい。弾性体６０は、例えば、ゴム、ウレタン、シリコン、ポリエチレンスポンジ、弾性繊維、合成繊維等、伸縮性のある材料であればよい。
【００２０】
［２］変形例
本実施形態のリュックサック１は、上記構成に限定されるものではなく、適宜設計変更可能である。
【００２１】
例えば、図４に示すように、弾性体６０は、リュックサック本体１０の背面１１の上部１２において、左用肩ベルト４１と右用肩ベルト４２との間に隙間７０を設けて取り付けられてもよい。換言すると、結合具３１を通ってＶ字状になった肩ベルト４１及び４２のＶ字の根元（左用肩ベルト４１と右用肩ベルト４２との境界部分（折り返し部分））と弾性体６０との間に、隙間７０があってもよい。
【００２２】
図５に示すように、弾性体６０は、複数（例えば２本）の帯状の弾性体６０ａ及び６０ｂで構成されてもよい。この場合、肩ベルト４１及び４２のＶ字の根元近傍には、複数（例えば２箇所）の隙間７０ａ及び７０ｂが形成される。
【００２３】
図６に示すように、弾性体６０は、肩ベルト４１及び４２の背面側と反対の表面側に取り付けられてもよい。尚、弾性体６０は、肩ベルト４１及び４２の背面側と表面側との両方に設けることも可能である。
【００２４】
図７に示すように、肩ベルト４１及び４２は、結合具３１を介さずに、結合部２１に直接取り付けられてもよい。この場合、肩ベルト４１及び４２は、連続した１つのベルトで構成されてもよいし、左右に分けられた複数のベルトで構成されてもよい。
【００２５】
図８に示すように、肩ベルト４１及び４２は、結合部２１や結合具３１を介さずに、リュックサック本体１０の背面１１の上部１２に直接取り付けられてもよい。この場合、図示するように、左用肩ベルト４１の上端部と右用肩ベルト４２の上端部とは、離間していてもよいし、接していたり、重なっていたりしてもよい。
尚、上記図１乃至図８の構成を適宜組み合わせることも可能である。
【００２６】
［３］効果
本考案のリュックサック１によれば、リュックサック本体１０の背面１１の上部１２における左用肩ベルト４１と右用肩ベルト４２との間を跨ぐ弾性体６０が、左用肩ベルト４１及び右用肩ベルト４２に取り付けられている。このため、肩ベルト４１及び４２を肩に掛けた際、肩ベルト４１及び４２の上部近傍の弾性体６０が、肩の形状に合わせて変形し、肩ベルト４１及び４２が肩に密着し易くなる。その結果、身体の背中とリュックサック１の背面との間に隙間が生じることを低減でき、リュックサック１の重みが肩に集中することを抑制できる。従って、リュックサック１を背負った際、さらには、肩を動かした際にも、肩への負担を軽減することができ、長時間背負っても、疲労の少ないリュックサック１となっている。
【００２７】
また、本考案のリュックサック１は、従来のリュックサック１の形状を変形させず、肩ベルト４１及び４２に弾性体６０を取り付けている。このため、非常に製造し易いリュックサック１となっている。
さらに、上述するように、本考案のリュックサック１は、リュックサック１を背負った際、弾性体６０の伸縮により肩への密着度が増す。従って、歩行や走行時にリュックサック１に振動が生じた場合であっても、肩ベルト４１及び４２が肩の外側方向へずれ難いため、肩ベルト４１及び４２の位置を直す煩雑さを低減できる。
【００２８】
図４、図５及び図８のリュックサック１によれば、左用肩ベルト４１及び右用肩ベルト４２の境界部分に隙間７０（７０ａ及び７０ｂ）を有して弾性体６０を設けている。これにより、リュックサック１を背負った際や肩を動かした際等の肩ベルト４１及び４２のずれを隙間７０で吸収することができるため、肩ベルト４１及び４２の肩への密着性を向上することができる。
【００２９】
図６のリュックサック１によれば、弾性体６０を肩ベルト４１及び４２の表面側に設けている。これにより、弾性体６０が使用者の背中に当たることを回避できるため、リュックサック１の使用感を向上することができる。尚、図１等のように、弾性体６０を肩ベルト４１及び４２の裏面側に設けた場合には、弾性体６０の見える面積を少なくすることができるため、デザイン性や美観性を向上させることができる。
【００３０】
尚、本考案の実施形態を説明したが、これらの実施形態は、例として提示したものであり、考案の範囲を限定することは意図していない。これら新規な実施形態は、その他の様々な形態で実施されることが可能であり、考案の要旨を逸脱しない範囲で、種々の省略、置き換え、変更を行うことができる。
【符号の説明】
【００３１】
１…リュックサック
１０…リュックサック本体
１１…リュックサック本体の背面
１２…リュックサック本体の背面の上部
１３ａ、１３ｂ…リュックサック本体の背面の下部
２１、２２、２３…結合部
３１、３２、３３…結合具
４１…左用肩ベルト
４２…右用肩ベルト
５１、５２…長さ調節具
６０、６０ａ、６０ｂ…弾性体
７０、７０ａ、７０ｂ…隙間
【図１】
0003202124.tif 000003
【図２】
0003202124.tif 000004
【図３】
0003202124.tif 000005
【図４】
0003202124.tif 000006
【図５】
0003202124.tif 000007
【図６】
0003202124.tif 000008
【図７】
0003202124.tif 000009
【図８】
0003202124.tif 000010